(57)【要約】【課題】      従来、背広、ワイシャツ等の襟付きのトップスを２枚以上重ねて着る場合、活動するうちに外側のトップスと内側のトップスがずれてしまい、本来ならば首につかないはずの外側のトップスの襟が首についてしまうことがある。これでは本来汚れないはずの外側のトップスの襟が首の汗等により汚れてしまうし、見た目も美しくない。【解決手段】    襟付きのトップスを２枚以上重ねて着る場合に、外側のトップスから内側のトップスの襟を支える器具を使用することで解決する。【選択図】図４
2020063533.tif 000002
【特許請求の範囲】
【請求項１】
襟付きのトップスを２枚以上重ねて着る場合に、外側のトップスの襟（２）と内側のトップスの襟（３）が重なる部分の外側のトップス側（４）に装着して内側のトップスの襟（３）を支えて保持することを特徴とする器具。
【請求項２】
請求項１に記載の器具において、内側のトップスの襟（３）を支えている支え部分（８）が内側のトップスの襟（３）に合わせて上下に調整できる手段を持ち、それとは別に請求項１に記載の器具の内側のトップスの襟（３）内に挿入して保持する部分（９）の長さを自由に調整できる手段を持つことを特徴とする請求項１に記載の器具
【発明の詳細な説明】
【技術分野】
【０００１】
本願発明は背広等のトップスについて、襟が汚れにくく、美しい状態が保てるようにする器具に関する。
【背景技術】
【０００２】
背広等においては、内側に着用するトップスであるワイシャツの襟は外側に着用するトップスである背広の襟から少し上に出ている状態が美しいとされている。
【発明の概要】
【発明が解決しようとする課題】
【０００３】
従来、背広、ワイシャツ等の襟付きのトップスを２枚以上重ねて着る場合、活動するうちに外側のトップスと内側のトップスがずれてしまい、本来ならば首につかないはずの外側のトップスの襟が首についてしまうことがある。これでは本来汚れないはずの外側のトップスの襟が首の汗等により汚れてしまうし、見た目も美しくない。特に外側や内側のトップスの生地が薄く襟がしっかりとしていない場合、乱れやすくなると考える。
【課題を解決するための手段】
【０００４】
襟付きのトップスを２枚以上重ねて着る場合に、外側のトップスの襟と内側のトップスの襟（３）が重なる部分の外側のトップス側に、器具を装着する。この器具は、外側のトップスから内側のトップスの襟（３）を支え保持する形状となっている。装着方法は、外側のトップスの襟吊りに挟み込むか、糸で縫い合わせる、接着する等の手段による。この器具を使用することにより、見た目の美しさを保ち、外側のトップスの襟と内側のトップスの襟（３）がずれて、外側のトップスの襟が直接首についてしまい、外側のトップスの襟が汚れることもない。
【図面の簡単な説明】
【０００５】
【図１】本願発明の請求項１の器具の例およびトップスの各部名称
【図２】本願発明の器具の使用手順１器具装着時に横から見た断面図
【図３】本願発明の器具の使用手順２内側のトップスの襟を持ち上げる。
【図４】本願発明の器具の使用手順３内側のトップスの襟を器具で保持。
【図５】本願発明の請求項２の器具の例
【発明を実施するための形態】
【０００６】
襟付きのトップスを２枚以上重ねて着る場合に、外側のトップスの襟（２）と内側のトップスの襟（３）が重なる部分の外側のトップス側（４）に装着して内側のトップスの襟（３）を支えて保持する器具（６）（１１）（１３）を使用する。器具（６）（１１）（１３）の内側のトップスの襟（３）内に挿入する部分（９）は、外方向、つまり装着時における首の方に引っ張られても、内方向つまり外側のトップスの襟（２）方向へ戻る復元力をある程度有する。
また、この器具（６）（１１）（１３）は外側のトップスの襟（２）と内側のトップスの襟（３）の間に入るため、強度を保ちつつもなるべく薄く作るほうが、使う人にとって違和感なく装着することができるので好ましい。そして、人間の首は前後左右に動くため、金属のような固い材料よりもポリプロピレン、ポリ塩化ビニル等の柔軟性のあるものが好ましい。
【実施例１】
【０００７】
本願発明の器具（６）を図２の横から見た断面図のように外側のトップスの襟（２）の内側、つまり内側のトップスの襟（３）と重なる部分（４）に装着する。装着する方法は、外側のトップス（１）に付いている襟吊り（５）に挟み込むか、そこに糸により縫い合わせる、接着する等の手段による。この実施例では襟吊り（５）に器具（６）の襟吊り挿入部分（７）を挟み込んでいる。
【０００８】
この器具（６）を使う者は、図２のように外側のトップス（１）に器具（６）を装着し、内側のトップスを着た後、外側のトップスを着る。次に図３のように内側のトップスの襟（３）をつまんで持ち上げ、最後に図４のように器具（６）の支え部分（８）に乗せるように内側のトップスの襟（３）の端を入れる。こうすることにより、この器具（６）が内側のトップスの襟（３）を保持し支えるため、どのような状態でも内側のトップスの襟（３）が外側のトップスの襟（２）から少し出ることとなり、外側のトップスの襟（２）が首について汚れることもなく、見た目も良い状態を保てる。
【実施例２】
【０００９】
本願発明の器具は内側のトップスの襟（３）を支える支え部分（８）が上下に調整できる手段および、器具において内側のトップスの襟（３）内に挿入して保持する部分（９）の長さも自由に調整できる手段を持つこともできる。図５はその場合の器具の実施例である。こうすることにより、内側のトップスの襟（３）の幅や種類に応じて調整することができるので、より柔軟な活用ができる。この実施例では、内側のトップスの襟（３）を支える支え部分（８）が可動する手段として、実施例１とは異なり、器具を二つに分けてこれを合体させて使用する。外側のトップス（１）に装着する部品Ａ（１１）と内側のトップスの襟（３）を支える部品Ｂ（１３）に分ける。合体の方法は、外側のトップス（１）に装着する部品Ａ（１１）のはめ込み穴（１０）に内側のトップスの襟（３）を支える部品Ｂ（１３）の差し込み部分（１２）を挿入して使用するはめ込み式を採用している。図５の上半分は分離している状態、下半分は合体している状態を表す。部品Ｂ（１３）をはめるはめ込み穴（１０）を変えることにより、支え部分（８）の上下調整ができる。また、部品Ｂ（１３）を交換することにより、内側のトップスの襟（３）内に挿入する部分（９）の長さを調整することができる。この実施例はあくまで一例なので、器具（１１）（１３）の支え部分（８）の上下調整や内側のトップスの襟（３）内に挿入する部分（９）の長さが調整できれば、これ以外の方法でも良い。この例での材料はある程度柔軟性のあるポリプロピレンやポリ塩化ビニル等を想定している。
【００１０】
この器具（１１）（１３）は外側のトップスに装着する部品Ａ（１１）と内側のトップスの襟（３）を支える部品Ｂ（１３）の二つに分かれている。上記に記載したとおり、この二つの部品ははめ込み式により装着し、一つの器具（１１）（１３）として使用する。それ以外の使用方法は実施例１と同じである。
【００１１】
本願発明の器具の部品Ａ（１１）と部品Ｂ（１３）を合体し、はめ込んで一つにしたものを外側のトップスの襟（２）の内側、つまり内側のトップスの襟（３）と重なる部分（４）に装着する。装着する方法は、外側のトップス（１）に付いている襟吊り（５）に挟み込むか、そこに糸により縫い合わせる、接着する等の手段による。この実施例では襟吊り（５）に器具（１１）（１３）の襟吊り挿入部分（７）を挟み込んでいる。
【００１２】
この器具（１１）（１３）を使う者は、外側のトップス（１）に器具（１１）（１３）を装着し、内側のトップスを着た後、外側のトップスを着る。その後内側のトップスの襟（３）をつまんで持ち上げ、器具（１１）（１３）の支え部分（８）に乗せるように内側のトップスの襟（３）の端を入れる。器具（１１）（１３）を調整したい場合は、器具（１１）（１３）の部品Ａ（１１）と部品Ｂ（１３）を一旦取り外して挿入するはめ込み穴（１０）を変えて、支え部分（８）を上下に調整したり、部品Ｂ（１３）を交換して内側のトップスの襟（３）内に挿入する部分（９）の長さを変える。こうすることにより、この器具（１１）（１３）が内側のトップスの襟（３）を保持し支えるため、どのような状態でも内側のトップスの襟（３）が外側のトップスの襟（２）から少し出ることとなり、外側のトップスの襟（２）が首について汚れることもなく、見た目も良い状態を保てる。
【符号の説明】
【００１３】
１…外側のトップス
２…外側のトップスの襟
３…内側のトップスの襟
４…外側のトップスにおいて、内側のトップスの襟が重なる部分
５…襟吊り
６…本願発明の器具  実施例１
７…襟吊りへの挿入部分
８…内側のトップスの襟支え部分
９…内側のトップスの襟への挿入部分
１０…部品Ｂを挿入するためのはめ込み穴
１１…本願発明の器具  実施例２  外側のトップスに装着する部品Ａ
１２…部品Ａへの差し込み部分
１３…本願発明の器具  実施例２  内側のトップスの襟を支える部品Ｂ
【図１】
2020063533.tif 000003
【図２】
2020063533.tif 000004
【図３】
2020063533.tif 000005
【図４】
2020063533.tif 000006
【図５】
2020063533.tif 000007